(57)【要約】  いわゆるパター型のゴルフクラブにおいて、円筒形形状のヘッド（１０）であって、円筒形表面の中央に配置された垂直半通穴（１５）を有し、第１の穴に対して垂直な、ねじ（１６）を挿入するための第２のねじ穴を含む、ヘッドと、長さが調節自在のシャフト（１１）であって、第１の穴に挿入され、第１部分が、前記半通穴に、ヘッドに対して垂直方向に及び直交方向に挿入されており、垂直な第１部分に対して所定の角度で曲げられた、互いに反対側の部分を含む、シャフトとを含む。角度をなした上部分は、クラブがその使用位置にあるときに地面と平行な端部で終端し、端部は、直径が異なる二つの球（１２、１２’）によって形成されたグリップを支持し、内側の球（１２）をシャフトに沿って摺動できる。
2007532230.tif 000002
【特許請求の範囲】
【請求項１】
いわゆるパター型のゴルフクラブにおいて、円筒形形状のヘッドであって、円筒形の中央に垂直通穴が設けられており、ねじを挿入するための第２の水平方向ねじ穴が設けられた、ヘッドと、長さが調節自在のシャフトであって、前記第１の穴に挿入され、第１部分が、前記通穴に、前記ヘッドに対して垂直方向に及び直交方向に挿入されており、前記垂直な第１部分に対して所定の角度で曲げられた、互いに反対側の部分を含む、シャフトと、を備え、角度をなした上部分は、前記クラブがその使用位置にあるときに地面と平行な端部で終端し、前記端部は、直径が異なる二つの球によって形成されたグリップを支持し、内側の球を前記シャフトに沿って摺動できる、ゴルフクラブ。
【請求項２】
請求項１に記載のゴルフクラブにおいて、前記ヘッドは、充填エレメントを挿入するのに適した対称な内部スロットを備えていることを特徴とするゴルフクラブ。
【請求項３】
請求項１に記載のゴルフクラブにおいて、前記第２の水平方向ねじ穴は中央に配置されていることを特徴とするゴルフクラブ。
【請求項４】
請求項１によるゴルフクラブを使用することによって、決定的なショットを行うための方法において、ゴルファーが、
身体をボールに対して前向きで位置決めし、
パターのグリップを両手で握り、
両脚を互いに離して膝を僅かに曲げた状態に保持し、
両手をグリップに置いた状態で、クラブヘッドがボールと隣接するように、両腕を位置決めし、
プレイヤーの頭部をボールの垂直方向上方に位置決めし、
肩を軸として、及びパターヘッドを質量として、パターに振り子のような動きを与え、
パターを両脚の間で振り、パターの円筒形のヘッドの長い部分でボールを打つ、ことを特徴とする方法。
【請求項５】
請求項１に記載のゴルフクラブにおいて、図１及び図２に示すゴルフクラブ。
【発明の詳細な説明】
【技術分野】
【０００１】
本発明は、いわゆるパター型のゴルフクラブに関し、このゴルフクラブは、シャフトを挿入する垂直穴が中央に配置された円筒形形状のヘッドを含む。前記シャフトは、長さが調節自在であり、適当に付形されており、相互位置が調節自在の直径が異なる二つの球によって形成されたグリップで終端する。これにより、人間工学的グリップが可能になる。更に、本発明は、グリーン上で決定的なショットを行う方法に関する。この方法では、プレイヤーは、ターゲット（カップ）に関して正面を向いた位置でボールを打つ。前記クラブを、荷重(loading)段階で、プレイヤーに向かって移動した後、ヘッドをプレイヤー自体の脚の間で揺動する振り子のような動きで、ボールを円筒形のヘッドで打つ。
【背景技術】
【０００２】
ヒッティングショットを行う上で、特にボールをカップに沈めなければならないときにパッティングを行う場合、グリップが重要であることが既知である。例えば、米国特許第５，６１６，０８９号には、決定的なショット、いわゆるパッティングを行う方法が記載されており且つ特許請求されている。この方法により、ストロークの速度及びショットの方向を制御できるものと考えられる。この方法は、実質的に、クラブのグリップを利き手で握り、他方の手を利き手の手首に置く。これは、考えられる全ての影響がショットに及ぼされることなく、前記利き手を特に安定化するためである。ショットは、ゴルファーの身体がクラブを振る方向と平行な、従来のアドレス位置で行われる。しかしながら、前記アドレス位置は、ストロークを行う手を安定し、又はボールの軌道を安定するけれども、前記ボールをゴルフクラブのヘッドの適切に決定された位置で打たなければならないということに留意すると、幾つかの問題点がある。
【０００３】
とりわけ、米国特許第５，０９０，６９８号には、円筒形形状のクラブヘッドが記載されている。このゴルフクラブのボールとの衝突領域は、実際上、円筒体の全長に亘って延びている。しかしながら、シャフトが円筒体の一端でヘッドに連結されており、従って、従来のアドレスで使用する場合、ショットの実行を制御する上で些かの躊躇がある。これは、決定的なショットを行う場合、些細な欠点ではない。
【０００４】
本出願人は、ボールの速度及びグリーンの方向に関してストロークを積極的に制御できるパターを製造する方法を発見した。
【発明の開示】
【発明が解決しようとする課題】
【０００５】
本発明の目的は、ボールの速度及びグリーンの方向に関してストロークを積極的に制御できるパターを製造する方法を提供することである。
【０００６】
本発明の第２の目的として、決定的なショットを、全く躊躇することなく、及び現在知られている全ての手段で避けられなかった問題点なしに行うための、前記パターのオリジナルの使用方法を提供することである。
【課題を解決するための手段】
【０００７】
従って、本発明の第１の目的は、いわゆるパター型のゴルフクラブを提供することである。本発明のゴルフクラブは、円筒形形状のヘッドであって、円筒形表面の中央に配置された垂直半通穴(semi-through hole)を有し、第１の穴に対して垂直な、ねじを挿入するための第２のねじ穴を含むヘッドと、長さが調節自在のシャフトであって、第１の穴に挿入され、第１部分が、前記穴に、ヘッドに対して垂直方向に及び直交方向に挿入されており、垂直な第１部分に対して所定の角度で曲げられた、互いに反対側の部分を含む、シャフトとを含み、角度をなした上部分は、クラブがその使用位置にあるときに地面と平行な端部で終端し、端部は、人間工学的グリップを可能にする直径が異なる二つの球によって形成されたグリップを支持し、グリップ自体の調節を可能にするため、内側の球をシャフトに沿って摺動できる。更に、ヘッドに重量を適切に追加できる。これは、様々な重量値の充填エレメントを挿入するのに適した対称な内部スロットを前記ヘッドに形成できるためである。
【発明を実施するための最良の形態】
【０００８】
図１は、本発明によるゴルフクラブの全体を示す図である。この図には、円筒形のヘッド１０と、垂直な部分及び角度をなした部分を持つシャフト１１と、ヘッドをグリーンに置いたときに水平のままであるように部分的に挿入してある直径が異なる二つの球１２及び１２’によって形成されたグリップとを備えたゴルフクラブが明瞭に示してある。添付図面では、前記ヘッドは中実であるように示してあるが、前記ヘッドは、適当であれば、重量の調節可能にするために対称な重り１４を配置するための特別のスロット１３を備えて製造されてもよい（図２及び図３参照）。更に、ねじを挿入するための第２のねじ穴１５が、円筒形のヘッドの任意の他の位置に配置されていてもよい。
【０００９】
図４、図５、及び図６は、グリップの詳細図であり、シャフトに沿った内側の球１２’の摺動を示す。
【００１０】
図７は、ヘッドの実施形態を示す。この図には、シャフト端部が垂直な半通穴(vertical semi-through hole)２０に挿入してあることが明瞭に示してある。更に、システムをブロックすると同時にボールとのインパクトについての基準として作用するねじ１６を挿入するための水平なねじ穴１５を中央に配置する方法が明瞭に示してある。前記穴が別の位置に設けられると、ボールとのインパクトについての基準は、シャフトの挿入点によって直接与えられる。
【００１１】
更に、ねじを緩めることにより、パターのヘッドをシャフトに沿って、所望の長さに達するまで摺動できる。かくして、シャフトの高さを調節することにより、様々な身長のプレイヤーが使用するためにクラブを容易に調節できる。これは、疑いなく、一つの利点を提供する。これは、ヘッドが円筒形形状であることに加え、ボールを、たとえ、いわゆる基準点と異なっていても、ゴルファーにとって、ショットの速度及び方向に関して何も失うことなく、前記ヘッドの全ての点で打つことができる。図８は、パターとボールとの間のインパクトの概略図である。
【００１２】
ショットは、ゴルファーによって実施される以下の工程を含む、それ自体が本発明の目的である方法に従って、プレイヤーによって行われる。即ち、
−  身体をカップに関して前向きで位置決めし、
−  パターのグリップを両手で握り、
−  両脚を互いから離して膝を僅かに曲げ、
−  両手をグリップに置いた状態で、クラブのヘッドがボールと隣接するように、腕を位置決めし、
−  プレイヤーの頭部をボールの垂直方向上方に位置決めし、
−  肩を軸として、及びパターのヘッドを質量として使用し、パターに振り子のような動きを与え、
−  パターを両脚の間で振り、ボールをパターの円筒形のヘッドの長い方の部分で打つ。
【００１３】
図９は、両手を用いたパターのグリップを示す。図１０及び図１０’は、ボールに向いたゴルファーの身体の位置を輪郭で示す。図１１及び図１１’、図１２及び図１２’、図１３及び図１３’の順番で、ショットに従って行われる動きを例示する。図１４及び図１５は、本発明による位置（Ａ）と従来のアドレス（Ｂ）との相違を示す。
【図面の簡単な説明】
【００１４】
【図１】図１は、本発明によるゴルフクラブの全体を示す図である。
【図２】図２は、対称な重りを配置するための特別のスロットを持つ、ヘッドの斜視図である。
【図３】図３は、スロットに重りを配置するところを示す、ヘッドの斜視図である。
【図４】図４は、グリップの詳細図である。
【図５】図５は、シャフトに沿った内側の球１２’の摺動を示す詳細図である。
【図６】図６は、シャフトに沿った内側の球１２’の摺動を示す詳細図である。
【図７】図７は、ヘッドの実施形態を示す図である。
【図８】図８は、パターとボールとの間のインパクトの概略図である。
【図９】図９は、両手を用いたパターのグリップを示す図である。
【図１０】図１０は、ボールに向いたゴルファーの身体の位置を輪郭で示す側面図である。
【図１０】図１０’は、ボールに向いたゴルファーの身体の位置を輪郭で示す正面図である。
【図１１】図１１は、ショットに従って行われる動きを順に例示する図である。
【図１１】図１１’は、ショットに従って行われる動きを順に例示する図である。
【図１２】図１２は、ショットに従って行われる動きを順に例示する図である。
【図１２】図１２’は、ショットに従って行われる動きを順に例示する図である。
【図１３】図１３は、ショットに従って行われる動きを順に例示する図である。
【図１３】図１３’は、ショットに従って行われる動きを順に例示する図である。
【図１４】図１４は、本発明による位置（Ａ）を示す図である。
【図１５】図１５は、従来のアドレス（Ｂ）を示す図である。
【図１】
2007532230.tif 000003
【図２】
2007532230.tif 000004
【図３】
2007532230.tif 000005
【図４】
2007532230.tif 000006
【図５】
2007532230.tif 000007
【図６】
2007532230.tif 000008
【図７】
2007532230.tif 000009
【図８】
2007532230.tif 000010
【図９】
2007532230.tif 000011
【図１０】
2007532230.tif 000012
2007532230.tif 000013
【図１１】
2007532230.tif 000014
2007532230.tif 000015
【図１２】
2007532230.tif 000016
2007532230.tif 000017
【図１３】
2007532230.tif 000018
2007532230.tif 000019
【図１４】
2007532230.tif 000020
【図１５】
2007532230.tif 000021
【国際調査報告】
2007532230.tif 000022
2007532230.tif 000023
2007532230.tif 000024
2007532230.tif 000025